(57)【要約】【課題】タービンの入口温度を一定に保ちつつも、ガスタービン出力の変動を抑える。【解決手段】制御装置５０は、燃焼ガスが流入するタービン２１の入口温度が一定に保つよう、燃料流量調節弁４７の弁開度を制御する温調制御部５１と、燃焼器１９に供給される燃料の単位熱量を熱量計５５から受け付け、単位熱量の変化に対して、空気圧縮機１１における吸気量が正の相関性で変更させるよう、吸気量調節器を制御する吸気量制御部５２と、を有する。【選択図】図１
2015052288.tif 000002
【特許請求の範囲】
【請求項１】
吸気量を調節する吸気量調節器を有する圧縮機と、前記圧縮機で圧縮された空気中で燃料を燃焼させ燃焼ガスを生成する燃焼器と、前記燃焼ガスにより駆動するタービンと、前記燃焼ガスに供給する前記燃料の流量を調節する燃料流量調節弁と、を備えているガスタービンプラントの制御装置において、
前記燃焼ガスが流入する前記タービンの入口温度が一定に保たれるよう、前記燃料流量調節弁の弁開度を制御する温調制御部と、
前記燃焼器に供給される前記燃料の単位量当たりの熱量である単位熱量を外部から受け付け、前記単位熱量の変化に対して、正の相関性で前記圧縮機の吸気量が変更されるよう、前記吸気量調節器を制御する吸気量制御部と、
を有するガスタービンプラントの制御装置。
【請求項２】
吸気量を調節する吸気量調節器を有する圧縮機と、前記圧縮機で圧縮された空気中で燃料を燃焼させ燃焼ガスを生成する燃焼器と、前記燃焼ガスにより駆動するタービンと、前記燃焼ガスに供給する前記燃料の流量を調節する燃料流量調節弁と、を備えているガスタービンプラントの制御装置において、
前記燃焼ガスが流入する前記タービンの入口温度が一定に保たれるよう、前記燃料流量調節弁の弁開度を制御する温調制御部と、
前記圧縮機と前記燃焼器と前記タービンとを有するガスタービンの出力変動に対して、負の相関性で前記圧縮機の吸気量が変更されるよう、前記吸気量調節器を制御する吸気量制御部と、
を有するガスタービンプラントの制御装置。
【請求項３】
請求項２に記載のガスタービンプラントの制御装置において、
前記吸気量制御部は、前記燃焼器に供給される前記燃料の単位量当たりの熱量である単位熱量を外部から受け付け、前記単位熱量の変化に対して、正の相関性で前記吸気量が変更されるよう、前記吸気量調節器を制御する、
ガスタービンプラントの制御装置。
【請求項４】
請求項１又は３に記載のガスタービンプラントの制御装置において、
前記吸気量制御部は、前記単位熱量の変化前のガスタービンの出力が維持されるよう、変更後の前記吸気量を定める、
ガスタービンプラントの制御装置。
【請求項５】
請求項１、３、４のいずれか一項に記載のガスタービンプラントの制御装置において、
前記吸気量調節器は、前記圧縮機のケーシングにおける吸気口側に設けられて、開度変更に応じて吸気量を変える入口案内翼と、前記入口案内翼の開度を変更する翼駆動機と、を有しており、
前記吸気量制御部は、前記燃料の単位熱量の変化量と前記入口案内翼の基準開度に対する開度変更量との予め定めた関係を用いて、外部から受け付けた前記燃料の単位熱量の変化量に対する開度変更量を求め、前記開度変更量に前記基準開度を加えて、指令開度を決定し、前記指令開度を指令値として前記吸気量調節器に出力し、
前記関係は、前記燃料の単位熱量から予め定められている基準単位熱量を減算した変化量に対して、前記開度変更量に正の相関性を持たせる関係である、
ガスタービンプラントの制御装置。
【請求項６】
請求項５に記載のガスタービンプラントの制御装置において、
前記関係は、前記変化量に対して、前記単位熱量の変化前のガスタービンの出力を維持できる開度変更量が得られる関係である、
ガスタービンプラントの制御装置。
【請求項７】
請求項１、３から６のいずれか一項に記載のガスタービンプラントの制御装置において、
前記吸気量制御部は、外部から前記単位熱量を受け付けて前記吸気量調節器による前記吸気量の変更量を示す指令値を求める指令値演算部と、前記指令値演算部が前記単位熱量を受け付けてから設定時間後に前記吸気量が変更されるよう、前記吸気量調節器に対する前記指令値の出力タイミングを制御する出力タイミング制御部と、を有し、
前記設定時間は、前記吸気量制御部が外部から前記単位熱量を受け付けてから、当該単位熱量の前記燃料が前記燃焼器に到達するまでの到達時間に基づいて定められている、
ガスタービンプラントの制御装置。
【請求項８】
請求項７に記載のガスタービンプラントの制御装置において、
前記出力タイミング制御部は、前記燃料の流量を外部から受け付け、前記流量を用いて前記到達時間を定める、
ガスタービンプラントの制御装置。
【請求項９】
請求項７又は８に記載のガスタービンプラントの制御装置において、
前記設定時間は、前記到達時間と同じである、
ガスタービンプラントの制御装置。
【請求項１０】
請求項７又は８に記載のガスタービンプラントの制御装置において、
前記設定時間は、外部から受け付けた前記単位熱量が大きくなった場合には前記到達時間より短く、外部か受け付けた前記単位熱量が小さくなった場合には前記到達時間より長い、
ガスタービンプラントの制御装置。
【請求項１１】
請求項１から１０のいずれか一項に記載の制御装置と、
前記圧縮機と前記燃焼器と前記タービンとを有するガスタービンと、
前記燃料流量調節弁と、
を備えているガスタービンプラント。
【請求項１２】
空気を圧縮する圧縮機と、前記圧縮機で圧縮された空気中で燃料を燃焼させ燃焼ガスを生成する燃焼器と、前記燃焼ガスにより駆動するタービンと、を備えているガスタービンの運転方法において、
前記燃焼ガスが流入する前記タービンの入口温度が一定に保たれるよう、前記燃焼器に供給する前記燃料の流量を調節する温調制御工程と、
前記燃焼器に供給される前記燃料の単位量当たりの熱量である単位熱量を外部から受け付け、前記単位熱量の変化に対して、正の相関性を持たせて前記圧縮機の吸気量を変更する吸気量制御工程と、
を実行するガスタービンの運転方法。
【請求項１３】
空気を圧縮する圧縮機と、前記圧縮機で圧縮された空気中で燃料を燃焼させ燃焼ガスを生成する燃焼器と、前記燃焼ガスにより駆動するタービンと、を備えているガスタービンの運転方法において、
前記燃焼ガスが流入する前記タービンの入口温度が一定に保たれるよう、前記燃焼器に供給する前記燃料の流量を調節する温調制御工程と、
前記ガスタービンの出力変動に対して、負の相関性を持たせて前記圧縮機の吸気量を変更する吸気量制御工程と、
を実行するガスタービンの運転方法。
【請求項１４】
請求項１３に記載のガスタービンの運転方法において、
前記吸気量制御工程では、前記燃焼器に供給される前記燃料の単位量当たりの熱量である単位熱量を外部から受け付け、前記単位熱量の変化に対して、正の相関性を持たせて前記吸気量を変更する、
ガスタービンの運転方法。
【請求項１５】
請求項１２又は１４に記載のガスタービンの運転方法において、
前記吸気量制御工程では、前記単位熱量の変化前の前記ガスタービンの出力が維持されるよう、変更後の前記吸気量を定める、
ガスタービンの運転方法。
【請求項１６】
請求項１２、１４、１５のいずれか一項に記載のガスタービンの運転方法において、
前記吸気量制御工程では、外部から前記単位熱量を受け付けて前記吸気量の変更量を示す指令値を求める指令値演算工程と、前記指令値演算工程で前記単位熱量を受け付けてから設定時間後に前記吸気量を変更するタイミング制御工程と、を実行し、
前記設定時間は、外部から前記単位熱量を受け付けてから、当該単位熱量の前記燃料が前記燃焼器に到達するまでの到達時間に基づいて定められている、
ガスタービンの運転方法。
【請求項１７】
請求項１６に記載のガスタービンの運転方法において、
前記タイミング制御工程では、前記燃料の流量を外部から受け付け、前記流量を用いて前記到達時間を定める、
ガスタービンの運転方法。
【請求項１８】
請求項１６又は１７に記載のガスタービンの運転方法において、
前記設定時間は、前記到達時間と同じである、
ガスタービンの運転方法。
【請求項１９】
請求項１６又は１７に記載のガスタービンの運転方法において、
前記設定時間は、外部から受け付けた前記単位熱量が大きくなった場合には前記到達時間より短く、外部か受け付けた前記単位熱量が小さくなった場合には前記到達時間より長い、
ガスタービンの運転方法。
【発明の詳細な説明】
【技術分野】
【０００１】
本発明は、ガスタービンを備えているガスタービンプラント、その制御装置、ガスタービンの運転方法に関する。
【背景技術】
【０００２】
ガスタービンは、空気を圧縮する圧縮機と、圧縮機で圧縮された空気中で燃料を燃焼させ燃焼ガスを生成する燃焼器と、燃焼ガスにより駆動するタービンと、を備えている。燃焼器には、外部からの燃料を燃焼器に供給するための燃料ラインが接続されている。この燃料ラインには、燃焼器に供給する燃料の流量を調節する燃料流量調節弁が設けられている。また、ガスタービンには、例えば、ガスタービンの駆動で発電する発電機が接続されている。
【０００３】
このガスタービンの運転方法として、例えば、以下の特許文献１に開示されている方法がある。この方法は、温調制御法と呼ばれる方法で、燃焼ガスが流入するタービン入口の温度が予め定められた上限温度に維持されるよう、燃料流量調節弁の弁開度を調節する方法である。
【先行技術文献】
【特許文献】
【０００４】
【特許文献１】特開平８−４２３６０号公報
【発明の概要】
【発明が解決しようとする課題】
【０００５】
ガスタービンでは、燃焼器に供給される燃料の単位量当たりの熱量である単位熱量が大きくなった場合、燃料流量及び吸気量が一定のままだと、タービンの入口温度が上昇する。この場合、上記温調制御法では、タービンの入口温度が予め定められた上限値になるよう、燃料流量調節弁の弁開度を小さくし、燃焼器に供給される燃料の流量を少なくする。
【０００６】
このため、上記温調制御法では、単位熱量の増加に対して、タービンへの入熱量が保たれるものの、タービンを通過するガス流量が減少し、ガスタービン出力が減少する。
【０００７】
そこで、本発明は、タービンの入口温度を一定に保ちつつも、ガスタービン出力の変動を抑えることができるガスタービンプラント、その制御装置、及びガスタービンの運転方法を提供することを目的とする。
【課題を解決するための手段】
【０００８】
上記目的を達成するための発明に係る一態様としてのガスタービンプラントの制御装置は、
吸気量を調節する吸気量調節器を有する圧縮機と、前記圧縮機で圧縮された空気中で燃料を燃焼させ燃焼ガスを生成する燃焼器と、前記燃焼ガスにより駆動するタービンと、前記燃焼ガスに供給する前記燃料の流量を調節する燃料流量調節弁と、を備えているガスタービンプラントの制御装置において、前記燃焼ガスが流入する前記タービンの入口温度が一定に保たれるよう、前記燃料流量調節弁の弁開度を制御する温調制御部と、前記燃焼器に供給される前記燃料の単位量当たりの熱量である単位熱量を外部から受け付け、前記単位熱量の変化に対して、正の相関性で前記圧縮機の吸気量が変更されるよう、前記吸気量調節器を制御する吸気量制御部と、を有する。
【０００９】
当該制御装置では、燃料流量調節弁の弁開度は、温調制御部によって、タービンの入口温度が一定に保たれるよう制御される。つまり、温調制御部によって温調制御が実行される。この温調制御中に、単位熱量が大きくなると、タービンの入口温度が高まるため、燃料流量弁の弁開度が小さくなって、燃焼器に供給される燃料の流量が少なくなる。この結果、タービンの入口温度は元の温度に戻る。タービンの入口温度が温調制御で元の温度に戻った時点では、燃料流量が少なくなっている関係上、タービンに流入するガスの流量も少なくなる。よって、タービンの入口温度が温調制御で元の温度に戻った時点では、ガスタービンの出力が減少している。
【００１０】
そこで、当該制御装置の吸気量制御部は、燃料の単位熱量の変化に対して、正の相関性で吸気量が変更されるよう、吸気量調節器を制御する。すなわち、吸気量制御部は、燃料の単位熱量が大きくなると、空気圧縮機による吸気量を増加させる。この結果、タービンに流入するガスの流量が増えて、ガスタービンの出力も増える。よって、当該制御装置では、温調制御中に燃料の単位熱量が変化しても、ガスタービンの出力変動を抑えることができる。
【００１１】
上記目的を達成するための発明に係る他の態様としてのガスタービンプラントの制御装置は、
吸気量を調節する吸気量調節器を有する圧縮機と、前記圧縮機で圧縮された空気中で燃料を燃焼させ燃焼ガスを生成する燃焼器と、前記燃焼ガスにより駆動するタービンと、前記燃焼ガスに供給する前記燃料の流量を調節する燃料流量調節弁と、を備えているガスタービンプラントの制御装置において、前記燃焼ガスが流入する前記タービンの入口温度が一定に保たれるよう、前記燃料流量調節弁の弁開度を制御する温調制御部と、前記圧縮機と前記燃焼器と前記タービンとを有するガスタービンの出力変動に対して、負の相関性で前記圧縮機の吸気量が変更されるよう、前記吸気量調節器を制御する吸気量制御部と、を有する。
【００１２】
当該制御装置の吸気量制御部は、温調制御中のガスタービンの出力変動に対して、負の相関性で吸気量が変更されるよう、吸気量調節器を制御する。すなわち、吸気量制御部は、温調制御中にガスタービンの出力が減少すると、空気圧縮機による吸気量を増加させる。この結果、タービンに流入するガスの流量が増えて、ガスタービンの出力も増える。よって、当該制御装置では、温調制御中のガスタービンの出力変動を抑えることができる。
【００１３】
ここで、前記他の態様としてのガスタービンプラントの制御装置において、前記吸気量制御部は、前記燃焼器に供給される前記燃料の単位量当たりの熱量である単位熱量を外部から受け付け、前記単位熱量の変化に対して、正の相関性で前記吸気量が変更されるよう、前記吸気量調節器を制御してもよい。
【００１４】
また、外部から燃料の単位熱量を受け付ける、いずれかの前記ガスタービンプラントの制御装置において、前記吸気量制御部は、前記単位熱量の変化前のガスタービンの出力が維持されるよう、変更後の前記吸気量を定めてもよい。
【００１５】
当該制御装置では、温調制御中のガスタービンの出力変動をより抑えることができる。
【００１６】
また、外部から燃料の単位熱量を受け付ける、いずれかの前記ガスタービンプラントの制御装置において、前記吸気量調節器は、前記圧縮機のケーシングにおける吸気口側に設けられて、開度変更に応じて吸気量を変える入口案内翼と、前記入口案内翼の開度を変更する翼駆動機と、を有しており、前記吸気量制御部は、前記燃料の単位熱量の変化量と前記入口案内翼の基準開度に対する開度変更量との予め定めた関係を用いて、外部から受け付けた前記燃料の単位熱量の変化量に対する開度変更量を求め、前記開度変更量に前記基準開度を加えて、指令開度を決定し、前記指令開度を指令値として前記吸気量調節器に出力し、前記関係は、前記燃料の単位熱量から予め定められている基準単位熱量を減算した変化量に対して、前記開度変更量に正の相関性を持たせる関係であってもよい。
【００１７】
また、入口案内翼の指令開度を指令値として吸気量調節器に出力する前記ガスタービンプラントの制御装置において、前記関係は、前記変化量に対して、前記単位熱量の変化前のガスタービンの出力を維持できる開度変更量が得られる関係であってもよい。
【００１８】
また、外部から燃料の単位熱量を受け付ける、いずれかの前記ガスタービンプラントの制御装置において、前記吸気量制御部は、外部から前記単位熱量を受け付けて前記吸気量調節器による前記吸気量の変更量を示す指令値を求める指令値演算部と、前記指令値演算部が前記単位熱量を受け付けてから設定時間後に前記吸気量が変更されるよう、前記吸気量調節器に対する前記指令値の出力タイミングを制御する出力タイミング制御部と、を有し、前記設定時間は、前記吸気量制御部が外部から前記単位熱量を受け付けてから、当該単位熱量の前記燃料が前記燃焼器に到達するまでの到達時間に基づいて定められていてもよい。
【００１９】
この場合、前記出力タイミング制御部は、前記燃料の流量を外部から受け付け、前記流量を用いて前記到達時間を定めてもよい。
【００２０】
また、前記出力タイミング制御部を有するいずれかの前記ガスタービンプラントの制御装置において、前記設定時間は、前記到達時間と同じであってもよい。
【００２１】
当該制御装置の吸気量制御部は、単位熱量が変化した燃料が燃焼器に到達する時点に、圧縮機の吸気量を変更する。このため、当該制御装置では、温調制御中に燃料ガスの単位熱量が変化しても、タービンの入口温度の変化を抑えることができる。
【００２２】
また、前記出力タイミング制御部を有するいずれかの前記ガスタービンプラントの制御装置において、前記設定時間は、外部から受け付けた前記単位熱量が大きくなった場合には前記到達時間より短く、外部か受け付けた前記単位熱量が小さくなった場合には前記到達時間より長くてもよい。
【００２３】
当該制御装置の吸気量制御部は、燃料の単位熱量が大きくなった場合、当該燃料が燃焼器に到達する前に、圧縮機の吸気量を変更する。また、当該制御装置の吸気量制御部は、反対に燃料の単位熱量が小さくなった場合、当該燃料が燃焼器に到達した後に、圧縮機の吸気量を変更する。このため、当該制御装置では、温調制御中に燃料ガスの単位熱量が変化しても、タービンの入口温度の変化を抑えることができる。
【００２４】
上記目的を達成するための発明に係る一態様としてのガスタービンプラントは、
以上のいずれかの制御装置と、前記圧縮機と前記燃焼器と前記タービンとを有するガスタービンと、前記燃料流量調節弁と、を備えている。
【００２５】
当該ガスタービンプラントでも、以上のいずれかの制御装置を備えているので、温調制御中のガスタービンの出力変動を抑えることができる。
【００２６】
上記目的を達成するための発明に係る一態様としてのガスタービンの運転方法は、
空気を圧縮する圧縮機と、前記圧縮機で圧縮された空気中で燃料を燃焼させ燃焼ガスを生成する燃焼器と、前記燃焼ガスにより駆動するタービンと、を備えているガスタービンの運転方法において、前記燃焼ガスが流入する前記タービンの入口温度が一定に保たれるよう、前記燃焼器に供給する前記燃料の流量を調節する温調制御工程と、前記燃焼器に供給される前記燃料の単位量当たりの熱量である単位熱量を外部から受け付け、前記単位熱量の変化に対して、正の相関性を持たせて前記圧縮機の吸気量を変更する吸気量制御工程と、を実行する。
【００２７】
上記目的を達成するための発明に係る他のとしてのガスタービンの運転方法は、
空気を圧縮する圧縮機と、前記圧縮機で圧縮された空気中で燃料を燃焼させ燃焼ガスを生成する燃焼器と、前記燃焼ガスにより駆動するタービンと、を備えているガスタービンの運転方法において、前記燃焼ガスが流入する前記タービンの入口温度が一定に保たれるよう、前記燃焼器に供給する前記燃料の流量を調節する温調制御工程と、前記ガスタービンの出力変動に対して、負の相関性を持たせて前記圧縮機の吸気量を変更する吸気量制御工程と、を実行する。
【００２８】
ここで、前記他の態様としての前記ガスタービンの運転方法において、前記吸気量制御工程では、前記燃焼器に供給される前記燃料の単位量当たりの熱量である単位熱量を外部から受け付け、前記単位熱量の変化に対して、正の相関性を持たせて前記吸気量を変更してもよい。
【００２９】
また、外部から燃料の単位熱量を受け付ける、いずれかの前記ガスタービンの運転方法において、前記吸気量制御工程では、前記単位熱量の変化前の前記ガスタービンの出力が維持されるよう、変更後の前記吸気量を定めてもよい。
【００３０】
また、外部から燃料の単位熱量を受け付ける、いずれかの前記ガスタービンの運転方法において、前記吸気量制御工程では、外部から前記単位熱量を受け付けて前記吸気量の変更量を示す指令値を求める指令値演算工程と、前記指令値演算工程で前記単位熱量を受け付けてから設定時間後に前記吸気量を変更するタイミング制御工程と、を実行し、前記設定時間は、外部から前記単位熱量を受け付けてから、当該単位熱量の前記燃料が前記燃焼器に到達するまでの到達時間に基づいて定められてもよい。
【００３１】
この場合、前記タイミング制御工程では、前記燃料の流量を外部から受け付け、前記流量を用いて前記到達時間を定めてもよい。
【００３２】
また、タイミング制御工程を実行する、いずれかの前記ガスタービンの運転方法において、前記設定時間は、前記到達時間と同じであってもよい。また、前記設定時間は、外部から受け付けた前記単位熱量が大きくなった場合には前記到達時間より短く、外部か受け付けた前記単位熱量が小さくなった場合には前記到達時間より長くてもよい。
【発明の効果】
【００３３】
本発明では、温調制御中のガスタービンの出力変動を抑えることができる。
【図面の簡単な説明】
【００３４】
【図１】本発明に係る第一実施形態におけるガスタービンプラントの系統図である。
【図２】本発明に係る第一実施形態におけるガスタービンの温調曲線と各状態点との関係を示す説明図である。
【図３】本発明に係る第一実施形態における単位熱量の変化量と入口案内翼の開度変更量との関係を示す説明図である。
【図４】本発明に係る第二実施形態におけるガスタービンプラントの系統図である。
【図５】本発明に係る第二実施形態における、燃料ガスの単位熱量の変化に伴う入口案内翼の開度変化のタイミングを示すタイミングチャートである。
【発明を実施するための形態】
【００３５】
以下、本発明に係るガスタービンプラントの各種実施形態について、図面を参照して詳細に説明する。
【００３６】
「第一実施形態」
本発明に係るガスタービンプラントの第一実施形態について、図１〜図３を用いて説明する。
【００３７】
本実施形態のガスタービンプラントは、図１に示すように、ガスタービン１０と、ガスタービン１０の駆動で発電する発電機３１と、ガスタービン１０の駆動で燃料ガスを圧縮するガス圧縮機３５と、ガスタービン１０の状態等を制御する制御装置５０と、を備えている。
【００３８】
ガスタービン１０は、空気Ａを圧縮して圧縮空気を生成する空気圧縮機１１と、圧縮空気中で燃料ガスを燃焼させ高温の燃焼ガスを生成する燃焼器１９と、燃焼ガスにより駆動するタービン２１と、を備えている。
【００３９】
空気圧縮機１１は、圧縮機ロータ１２と、これを回転可能に覆う圧縮機ケーシング１３と、空気Ａの吸気量を調節する吸気量調節器１５と、を有している。吸気量調節器１５は、圧縮機ケーシング１３の吸込口側に設けられている入口案内翼１６と、この入口案内翼１６の開度を変える案内翼駆動機１７と、を有している。空気圧縮機１１の吐出口と燃焼器１９の圧縮空気入口と間の圧縮空気が流れる圧縮空気流路には、この圧縮空気流路内の圧力を検知する圧力計５６が設けられている。
【００４０】
タービン２１は、燃焼ガスにより回転するタービンロータ２２と、このタービンロータ２２を回転可能に覆うタービンケーシング２３とを有している。タービン２１の排気口には、タービン２１から排気される燃焼ガスである排気ガスの温度を検知する温度計５７が設けられている。圧縮機ロータ１２とタービンロータ２２とは互いに連結され、一体となってガスタービンロータ２８を成している。
【００４１】
発電機３１は、発電機ロータ３２と、この発電機ロータ３２を回転可能に覆う発電機ケーシング３３と、を有している。発電機ロータ３２は、ガスタービンロータ２８に連結されている。このため、ガスタービンロータ２８が回転すると、発電機ロータ３２も、一体的に回転する。この発電機３１には、この発電機３１による発電量を検知する出力計５８が設けられている。
【００４２】
ガス圧縮機３５は、圧縮機ロータ３６と、これを回転可能に覆う圧縮機ケーシング３７と、を有している。ガス圧縮機３５の圧縮機ロータ３６は、増速機３８を介して、発電機ロータ３２又はガスタービンロータ２８と機械的に接続されている。このガス圧縮機３５の吐出口と燃焼器１９とは、高圧燃料ガスライン４４で接続されている。この高圧燃料ガスライン４４には、ここを通る燃料ガスの流量を調節する燃料流量調節弁４７が設けられている。
【００４３】
このガスタービンプラントは、製鉄所６１及びコークスプラント６２から燃料ガスが供給される。製鉄所６１は、製鉄所６１の高炉から低カロリー燃料ガスとしてのＢＦＧ（Blast Furnace Gas）を発生する。この高炉には、ＢＦＧが流れるＢＦＧライン４１が接続されている。ＢＦＧライン４１には、このＢＦＧの流量を調節するＢＦＧ流量調節弁４５が設けられている。コークスプラント６２は、コークスプラント６２のコークス炉から高カロリー燃料ガスとしてのＣＯＧ（Coke Oven Gas）を発生する。このコークス炉には、ＣＯＧが流れるＣＯＧライン４２が接続されている。ＣＯＧライン４２には、ＣＯＧの流量を調節するＣＯＧ流量調節弁４６が設けられている。ＢＦＧライン４１とＣＯＧライン４２とは、合流して低圧燃料ガスライン４３となる。この低圧燃料ガスライン４３は、ガス圧縮機３５の吸込口に接続されている。低圧燃料ガスライン４３には、ここを通るガスの単位量（単位体積又は単位重量）当たりの熱量である単位熱量を計測する熱量計５５が設けられている。
【００４４】
なお、以下では、低圧燃料ガスライン４３及び高圧燃料ガスライン４４に、ＢＦＧのみが流れている場合、ＣＯＧのみが流れている場合、ＢＦＧとＣＯＧとが混ざり合って流れている場合のいずれの場合でも、低圧燃料ガスライン４３及び高圧燃料ガスライン４４に流れるガスを燃料ガスという。
【００４５】
制御装置５０は、燃料流量調節弁４７の弁開度を制御する温調制御部５１と、吸気量調節器１５の入口案内翼１６の開度を制御する吸気量制御部５２と、を有している。
【００４６】
温調制御部５１は、ガスタービン１０の燃焼器１９から燃焼ガスが流入するタービン２１の入口温度が予め定められた上限値を保つよう、燃料流量調節弁４７の弁開度を制御する。このため、温調制御部５１は、タービン２１の入口温度を認識する必要がある。しかしながら、タービン２１の入口温度は、千数百℃で極めて高い温度であるため、熱電対等の温度計でタービン２１の入口温度を検知することが難しい。そこで、本実施形態では、空気圧縮機１１の吐出口と燃焼器１９の圧縮空気入口と間の圧縮空気流路内の圧力と、タービン２１から排気される排気ガスの温度とからタービン２１の入口温度を実質的に推定する。
【００４７】
タービン２１内では、タービン２１のガス入口からガス出口までの間でガスが断熱膨張すると考えることができる。このため、タービン２１の入口圧力とタービン２１の出口圧力との比であるタービン圧力比と、タービン２１の出口温度とを把握できれば、タービン２１の入口温度を推定することができる。
【００４８】
ところで、タービン２１の入口圧力は、燃焼器１９のガス入口における圧力に対して、ガスが燃焼器１９を通過するときの圧力損失分低い。しかし、この圧力損失はほぼ一定であると考えてよい。また、タービン２１の出口圧力は、ほぼ大気圧でほぼ一定であるため、実質的に固定値として扱うことができる。このため、タービン２１の入口圧力に対して一定圧力損失分低い燃焼器１９のガス入口における圧力をタービン圧力比に代替することができる。よって、燃焼器１９のガス入口における圧力とタービン２１の出口温度とを把握できれば、タービン２１の入口温度を推定することができる。
【００４９】
本実施形態では、以上の見地から、圧縮空気流路内の圧力と、タービン２１から排気される排気ガスの温度とからタービン２１の入口温度を実質的に推定する。このため、本実施形態では、圧縮空気流路内の圧力を圧力計５６で検知し、タービン２１から排気される排気ガスの温度を温度計５７で検知する。
【００５０】
図２に示すように、圧縮空気流路内の圧力Ｐcsと排気ガスの温度Ｔexとタービン２１の入口温度Ｔinとは、タービン２１の入口温度Ｔinを一定にする場合、圧縮空気流路内の圧力Ｐcsの増加に伴って排気ガスの温度Ｔexが低くなるという関係がある。このタービン２１の入口温度Ｔinを一定にする場合の圧縮空気流路内の圧力Ｐcsと排気ガスの温度Ｔexとの関係を示す曲線は、一般的に温調曲線Ｈと呼ばれる。本実施形態の温調制御部５１には、タービン２１の入口温度Ｔinが予め定めた上限値のときの温調曲線Ｈが記憶されている。また、温調制御部５１には、圧力計５６で検知された圧縮空気流路内の圧力Ｐcsと、温度計５７で検知された排気ガスの温度Ｔexとが入力される。温調制御部５１は、前述したように、タービン２１の入口温度を実質的に推定するものの、この入口温度そのものを推定するわけではない。つまり、温調制御部５１は、入口温度が上限値のときの温調曲線Ｈを用いて、タービン２１の入口温度がこの上限値であるか、この上限値より高い又は低いかを認識する。
【００５１】
仮に、現在の圧縮空気流路内の圧力Ｐcs1と排気ガスの温度Ｔex1とにより定まる現在の状態点Ｓ1が温調曲線Ｈ上にあるとする。この場合、温調制御部５１は、現在の入口温度は目標としている上限値であると認識する。その後、タービン２１に供給される圧縮空気の流量が一定の状態で、燃料ガスの単位熱量が大きくなったとする。この場合、タービン２１の入口圧力及び入口温度が高まる関係で、圧縮空気流路内の圧力Ｐcsは高まって圧力Ｐcs2になると共に、排気ガスの温度Ｔexも高まって温度Ｔex2になる。この圧力Ｐcs2と温度Ｔex2とで定まる状態点Ｓ2では、温調曲線Ｈよりも排気ガスの温度Ｔexが高いため、温調制御部５１は、タービン２１の入口温度が上限値よりも高くなったと認識する。温調制御部５１は、タービン２１の入口温度が上限値よりも高くなったと認識すると、燃料流量調節弁４７に対して、弁開度を小さくする旨を指示する。この結果、燃料流量調節弁４７の弁開度が小さくなり、燃焼器１９に供給される燃料ガスの流量が少なくなる。燃料ガスの流量が少なくなると、排気ガスの温度Ｔexが低下すると共に、圧縮空気流路内の圧力Ｐcsも低下し、最終的に、状態点Ｓ3（Ｐcs3，Ｔex3）が温調曲線Ｈ上に位置するようになる。つまり、タービン２１の入口温度は、目標の上限値に戻る。
【００５２】
以上のように、温調制御部５１は、まず、圧縮空気流路内の圧力Ｐcs1と排気ガスの温度Ｔex1とから、タービン２１の入口温度が上限値であるか、この上限値より高い又は低いかを認識する。そして、温調制御部５１は、この認識に基づいて、タービン２１の入口温度が上限値を維持するように、燃料流量調節弁４７の弁開度を制御する。すなわち、温調制御部５１は、温調制御工程を実行する。
【００５３】
ところで、温調制御部５１による温調制御後の状態点Ｓ3では、燃料ガスの単位熱量が大きるなる前と比べて、タービン２１の入口温度は同じであるものの、燃料ガスの流量が減少しているため、タービン２１に流入する燃焼ガスの流量も減少している。このため、状態点Ｓ3では、燃料ガスの単位熱量が大きくなる前と比べて、タービン２１の入口圧力が低くなっていると共に、タービン圧力比が小さくなっている。よって、温調制御部５１による温調制御後の状態点Ｓ3では、燃料ガスの単位熱量が大きくなる前と比べて、ガスタービン１０の出力及びガスタービン１０全体の出力が減少している。
【００５４】
また、以上とは逆に、タービン２１に供給される圧縮空気の流量が一定の状態で、燃料ガスの単位熱量が小さくなった場合、圧縮空気流路内の圧力Ｐcsが低下すると共に、排気ガスの温度Ｔexも低下する。この場合、状態点Ｓにおける排気ガスＴexが温調曲線Ｈ上よりも低くなるため、温調制御部５１は、タービン２１の入口温度が上限値よりも低くなったと認識する。温調制御部５１は、タービン２１の入口温度が上限値よりも低くなったと認識すると、燃料流量調節弁４７に対して、弁開度を大きくする旨の指示を与える。この結果、燃料流量調節弁４７の弁開度が大きくなり、燃焼器１９に供給される燃料ガスの流量が多くなる。燃料ガスの流量が多くなると、排気ガスの温度Ｔexが高まると共に、圧縮空気流路内の圧力Ｐcsも高まり、最終的に、状態点Ｓが温調曲線Ｈ上に戻る。この状態点Ｓでは、燃料ガスの単位熱量が小さくなる前と比べて、タービン２１の入口温度は同じであるものの、燃料ガスの流量が増加しているため、タービン２１に流入する燃焼ガスの流量も増加している。このため、この状態点Ｓでは、燃料ガスの単位熱量が小さくなる前と比べて、タービン２１の入口圧力が高くなっていると共に、タービン圧力比が大きくなっている。よって、温調制御部５１による温調制御後の状態点Ｓでは、燃料ガスの単位熱量が小さくなる前と比べて、ガスタービン１０の出力は増加している。
【００５５】
以上のように、温調制御中、燃料ガスの単位熱量が変化すると、この変化に伴ってガスタービン出力も変化する。より具体的には、温調制御中における燃料ガスの単位熱量の変化に対して、ガスタービン出力の変化は、負の相関性がある。
【００５６】
そこで、本実施形態では、温調制御中における燃料ガスの単位熱量の変化に伴うガスタービン出力の変化を抑えるため、吸気量制御部５２が吸気量調節器１５の入口案内翼１６の開度を制御する。すなわち、吸気量制御部５２は、吸気量制御工程を実行する。
【００５７】
吸気量制御部５２は、熱量計５５から燃料ガスの単位熱量を随時受け付けている。吸気量制御部５２は、受け付けた単位熱量に基づいて、単位熱量の変化を認識し、この単位熱量の変化に対して、正の相関性で空気圧縮機１１の吸気量が変更されるよう、吸気量調節器１５を制御する。言い換えると、吸気流量制御部は、単位熱量の変化に対して、正の相関性で入口案内翼１６の開度が変更されるよう、空気圧縮機１１の吸気量調節器１５に指令値を出力する。すなわち、吸気量制御部５２は、単位熱量が大きくなると、入口案内翼１６の開度が大きくなるよう、吸気量調節器１５に指令値を出力する。
【００５８】
仮に、図２を用いて前述したように、燃料ガスの単位熱量が大きくなって温調制御が実行された結果、状態点Ｓ3が温調曲線Ｈ上に位置するようになったとする。この場合、吸気量制御部５２は、単位熱量が大きくなったことに基づいて、入口案内翼１６の開度が大きくなるよう、吸気量調節器１５に指令値を出力する。
【００５９】
入口案内翼１６の開度が大きくなり、空気圧縮機１１の吸気量が増加すると、圧縮空気流路内の圧力Ｐcsは高まって圧力Ｐcs4になる一方で、排気ガスの温度Ｔexが下がって温度Ｔex4になる。この圧力Ｐcs4と温度Ｔex4とで定まる状態点Ｓ4では、温調曲線Ｈよりも排気ガスの温度Ｔexが低いため、温調制御部５１は、タービン２１の入口温度が上限値よりも低くなったと認識する。そして、温調制御部５１は、燃料流量調節弁４７に対して、弁開度を大きくする旨を指示する。この結果、燃料流量調節弁４７の弁開度が大きくなり、燃焼器１９に供給される燃料ガスの流量が多くなる。燃料ガスの流量が多くなると、排気ガスの温度Ｔexが高まると共に、タービン２１の入口圧力とほぼ等しい圧縮空気流路内の圧力Ｐcsも高まり、最終的に、状態点Ｓ5（Ｐcs5，Ｔex5）が温調曲線Ｈ上に位置するようになる。つまり、タービン２１の入口温度は、目標の上限値に戻る。
【００６０】
この状態点Ｓ5では、入口案内翼１６の開度が大きくなる前の状態点Ｓ3のときと比べ、タービン２１の入口温度は同じであるものの、燃料ガスの流量が増加している関係で、タービン２１の入口圧力が高くなっている。このため、この状態点Ｓ5では、入口案内翼１６の開度が大きくなる前の状態点Ｓ3のときと比べて、タービン圧力比が高くなっている。さらに、この状態点Ｓ5では、入口案内翼１６の開度が大きくなる前の状態点Ｓ3のときと比べて、タービン２１に流入する燃焼ガスの流量も増加している。よって、この状態点Ｓ5では、入口案内翼１６の開度が大きくなる前の状態点Ｓ3のときと比べて、ガスタービン１０の出力は増加している。
【００６１】
従って、本実施形態では、温調制御中、燃料ガスの単位熱量が変化しても、ガスタービン出力の変動を抑制することができる。
【００６２】
ここで、燃料ガスの単位熱量が変化した場合の入口案内翼１６の開度変更量は、予め定めた単位変更量であってもよいし、単位熱量の変化量に対応した変更量であってもよい。入口案内翼１６の開度変更量を単位変更量とした場合、燃料ガスの単位熱量の変化に伴って入口案内翼１６の開度を変更しても、発電機３１に設けられている出力計５８で検知された発電量（≒ガスタービン１０出力）が単位熱量の変化前と比べて小さい場合には、図３に示すように、再度、入口案内翼１６の開度を変更するようにしてもよい。
【００６３】
また、入口案内翼１６の開度変更量を単位熱量の変化量に対応した変更量にする場合、吸気量制御部５２には、単位熱量の変化量と開度変更量との関係を予め記憶しておく。この関係は、単位熱量の変化量の増加に対して開度変更量が増加し、ガスタービン１０出力をほぼ維持できる関係である。吸気量制御部５２は、この関係を用いて、単位熱量の変化量に対応した開度変更量を求める。
【００６４】
また、入口案内翼１６の開度変更量を単位熱量の変化量に対応した変更量にする場合、単位熱量の変化量として、基準単位熱量に対する変化量を採用し、入口案内翼１６の開度変更量として、入口案内翼１６の基準開度に対する変更量を採用してもよい。この場合、図３に示すように、吸気量制御部５２には、熱量計５５で計測された単位熱量Ｃｄから基準単位熱量Ｃｓを減算した変化量（Ｃｄ−Ｃｓ）と、入口案案内翼の基準開度Ａｓに対する開度変更量Ａｃとの関係ｆを予め記憶しておく。この関係ｆも、単位熱量の変化量（Ｃｄ−Ｃｓ）の増加に対して開度変更量Ａｃが増加し、ガスタービン１０出力を維持できる関係である。なお、図３中で、関係ｆを示す線の傾きを適宜定めることで、この関係ｆがガスタービン１０出力を維持できる関係になる。吸気量制御部５２には、この関係ｆを関数として記憶しておいてもよいし、単位熱量の各変化量毎の開度変更量のマップとして記憶しておいてもよい。
【００６５】
吸気量制御部５２は、熱量計５５から単位熱量Ｃｄを受け付けると、この単位熱量Ｃｄから基準単位熱量Ｃｓを減算して変化量（Ｃｄ−Ｃｓ）を求める。次に、吸気量制御部５２は、関係ｆを用いて変化量（Ｃｄ−Ｃｓ）に対する開度変更量Ａｃを求める。そして、以下の式に示すように、変化量（Ｃｄ−Ｃｓ）に対する開度変更量Ａｃに基準開度Ａｓを加えて指令開度Ａｉを求め、この指令開度Ａｉを指令値として吸気量調節器１５に出力する。
Ａｉ＝Ａｓ＋ｆ（Ｃｄ−Ｃｓ）＝Ａｓ＋Ａｃ
【００６６】
なお、以上では、燃料ガスの単位熱量を随時計測し、温調制御中に燃料ガスの単位熱量が変化した場合、計測で得られた単位熱量の変化量に基づいて、入口案内翼１６の開度、言い換える空気圧縮機１１の吸気量を制御している。しかしながら、例えば、発電機３１の発電量等で示されるガスタービン出力を随時計測し、温調制御中に燃料ガスの単位熱量が変化してガスタービン出力が変化した場合、計測で得られたガスタービン出力変化量に基づいて、入口案内翼１６の開度、言い換える空気圧縮機１１の吸気量を制御してもよい。
【００６７】
「第二実施形態」
次に、図４及び図５を用いて、本発明に係るガスタービンプラントの第二実施形態について説明する。
【００６８】
本実施形態のガスタービンプラントは、第一実施形態のガスタービンプラントと比べて、制御装置の構成が異なることを除きて、基本的に同一である。よって、以下では、本実施形態のガスタービンプラントの制御装置５０ａについて主として説明する。
【００６９】
本実施形態の制御装置５０ａは、第一実施形態の制御装置５０と同様に、温調制御部５１と吸気量制御部５２ａとを有する。但し、本実施形態の制御装置５０ａにおける吸気量制御部５２ａは、第一実施形態の吸気量制御部５２と異なっている。
【００７０】
本実施形態の吸気量制御部５２ａは、熱量計５５で計測された燃焼ガスの単位熱量に基づいて指令開度（指令値）を求める指令値演算部５３と、吸気量調節器１５への指令開度（指令値）の出力タイミングを制御する出力タイミング制御部５４と、を有している。
【００７１】
指令値演算部５３は、第一実施形態で例示したいずれかの方法で指令開度（指令値）を求める。
【００７２】
出力タイミング制御部５４は、図５に示すように、指令値演算部５３が熱量計５５から単位熱量を受け付けてから（ｔ2）、設定時間Ｔｓ後に吸気量が変更されるよう、吸気量調節器１５に対する指令値の出力タイミングを制御する。この設定時間Ｔｓは、指令値演算部５３が熱量計５５から単位熱量を受け付けてから（ｔ2）、この単位熱量の燃料ガスが燃焼器１９に到達するまでの到達時間Ｔｒに基づいて定められている。本実施形態では、単位熱量が大きくなった場合、この設定時間Ｔｓを到達時間Ｔｒより僅かに短い時間に設定し、単位熱量が小さくなった場合、この設定時間Ｔｓを到達時間Ｔｒより僅かに長い時間に設定する。
【００７３】
本実施形態の低圧燃料ガスライン４３又は高圧燃料ガスライン４４には、ここを通る燃料ガスの流量を検知する流量計５９が設けられている。出力タイミング制御部５４は、この流量計５９で検知された流量と、熱量計５５が燃焼ガスをサンプリングする位置から燃焼器１９の燃料ガス入口までのライン距離等を用いて、前述の到達時間Ｔｒを求める。出力タイミング制御部５４は、この到達時間Ｔｒを基準にして、例えば、この到達時間Ｔｒより予め定められた時間分短い設定時間Ｔｓを定める。なお、前述の到達時間Ｔｒは、流量計５９で検知された流量を用いる代わりに、例えば、燃料流量調節弁４７の弁開度から推定される流量を用いてもよい。
【００７４】
次に、図５に従って、燃料ガスの単位熱量の変化に伴う空気圧縮機１１の入口案内翼１６の開度変化について説明する。
【００７５】
仮に、熱量計５５のガスサンプリング位置における単位熱量Ｃａが、時刻ｔ１のときに大きくなったとする。熱量計５５が燃料ガスをサンプリングしてから、この燃料ガスの単位熱量を求めて、制御装置５０ａの指令値演算部５３がこの単位熱量を受け付けるまでには、第一所定時間Ｔ１かかる。このため、制御装置５０ａの指令値演算部５３が熱量計５５から受け付ける単位熱量Ｃｂは、時刻ｔ１から第一所定時間Ｔ１後の時刻ｔ２に変化する。
【００７６】
熱量計５５のガスサンプリング位置における燃料ガスは、一部が熱量計５５でサンプリングされ、残りが、低圧燃料ガスライン４３、ガス圧縮機３５、及び高圧燃料ガスライン４４を経由して、燃焼器１９に到達する。熱量計５５のガスサンプリング位置から、燃料ガスが燃焼器１９に到達するまでの時間は、第一所定時間Ｔ１より長い第二所定時間Ｔ２である。従って、燃焼器１９に流入する燃料ガスの単位熱量Ｃｃは、時刻ｔ１から第二所定時間Ｔ２後、言い換えると、時刻ｔ２から前述の到達時間Ｔｒ後の時刻ｔ４に大きくなる。よって、第一所定時間Ｔ１と到達時間Ｔｒと第二所定時間Ｔ２との関係は、以下の式で示される関係がある。
Ｔ１＋Ｔｒ＝Ｔ２
【００７７】
このため、到達時間Ｔｒを求める場合、予め第一所定時間Ｔ１を計測しておき、この第一所定時間Ｔ１を出力タイミング制御部５４に記憶しておく。出力タイミング制御部５４は、まず、流量計５９で検知された流量と、熱量計５５が燃焼ガスをサンプリングする位置から燃焼器１９の燃料ガス入口までのライン距離等を用いて、第二所定時間Ｔ２を求める。そして、出力タイミング制御部５４は、第二所定時間Ｔ２から第一所定時間Ｔ１を減算して、到達時間Ｔｒを求める。
【００７８】
前述したように、出力タイミング制御部５４が扱う設定時間Ｔｓは、単位熱量Ｃａが大きくなった場合、到達時間Ｔｒより僅かに短い時間である。このため、空気圧縮機１１の入口案内翼１６の開度は、燃焼器１９に流入する燃料ガスの単位熱量Ｃｃが大きくなる時刻ｔ４より前の時刻ｔ３に、大きくなる。すなわち、本実施形態では、燃焼器１９に流入する燃料ガスの単位熱量の変化に対して、空気圧縮機１１の入口案内翼１６の開度を先行制御する。
【００７９】
このように、燃料ガスの単位熱量Ｃｃが大きくなる時刻ｔ４より前の時刻ｔ３に、空気圧縮機１１の入口案内翼１６の開度が大きくなると、タービン２１の入口温度が上限値よりあまり高くならないうちに、又は、タービン２１の入口温度が高くなる前に、吸気量の増加と温調制御により、タービン２１の入口温度が上限値に戻る。
【００８０】
また、前述したように、出力タイミング制御部５４が扱う設定時間Ｔｓは、単位熱量Ｃａが小さくなった場合、到達時間Ｔｒより僅かに長い時間である。このため、空気圧縮機１１の入口案内翼１６の開度は、燃焼器１９に流入する燃料ガスの単位熱量Ｃｃが小さくなる時刻より後の時刻に、小さくなる。
【００８１】
このように、燃料ガスの単位熱量Ｃａが小さくなる時刻より後の時刻に、空気圧縮機１１の入口案内翼１６の開度が小さくなると、タービン２１の入口温度が上限値より低くなった後に、吸気量の減少と温調制御により、タービン２１の入口温度が上限値に戻る。
【００８２】
このため、本実施形態では、温調制御中に燃料ガスの単位熱量が変化しても、タービン２１の入口温度の変化を抑えることができる。よって、本実施形態では、燃焼器１９及びタービン２１の耐久性を高めることができる。
【００８３】
なお、本実施形態では、単位熱量が大きくなった場合、設定時間Ｔｓを到達時間Ｔｒより僅かに短い時間に設定し、単位熱量が小さくなった場合、この設定時間Ｔｓを到達時間Ｔｒより僅かに長い時間に設定する。しかしながら、設定時間Ｔｓを到達時間Ｔｒと同じ時間にしても、以上と同様に、温調制御中に燃料ガスの単位熱量の変化に対して、タービン２１の入口温度の変化を抑えることができる。
【００８４】
ところで、以上で説明した先行制御を実行しない場合、「第一実施形態」の欄で述べたように、計測で得られたガスタービン出力の変化量に基づいて入口案内翼１６の開度を制御することは可能である。しかしながら、以上で説明した先行制御を実行する場合、計測で得られたガスタービン出力の変化量に基づいて入口案内翼１６の開度を制御することはできない。つまり、燃焼器１９に流入する燃料ガスの単位熱量が変化するときとき又は変化する前に、空気圧縮機１１の入口案内翼１６の開度を変更することはできない。よって、以上で説明した先行制御を実行する場合には、燃料ガスの単位熱量を計測することが必要である。
【００８５】
以上の実施形態では、温調制御のために、圧力計５６で検知された圧縮空気流路内の圧力と、温度計５７で検知されたタービン２１からの排気ガスの温度とを用いて、タービン２１の入口温度を実質的に推定している。しかしながら、他の方法で、タービン２１の入口温度を推定しても、さらに、温度計でタービン２１の入口温度を検知してもよい。
【００８６】
また、以上の各実施形態のガスタービンプラントの燃料は、ＢＦＧ単味、ＣＯＧ単味、ＢＦＧとＣＯＧの混合物とのいずれかである。しかしながら、ガスタービンプラントの燃料は、ＢＦＧのみでも、ＣＯＧのみでもよい。さらに、ガスタービン１０の燃料は、他の燃料ガス、例えば、天然ガスや、バイオガス等であってもよい。
【符号の説明】
【００８７】
１０：ガスタービン、１１：空気圧縮機、１５：吸気量調節器、１６：入口案内翼、１９：燃焼器、２１：タービン、３１：発電機、３５：ガス圧縮機、４３：低圧燃料ガスライン、４４：高圧燃料ガスライン、４７：燃料流量調節弁、５０,５０ａ：制御装置、５１：温調制御部、５２,５２ａ：吸気量制御部、５３：指令値演算部、５４：出力タイミング制御部、５５：熱量計、５６：圧力計、５７：温度計、５８：出力計、５９：流量計
【図１】
2015052288.tif 000003
【図２】
2015052288.tif 000004
【図３】
2015052288.tif 000005
【図４】
2015052288.tif 000006
【図５】
2015052288.tif 000007